(57)【要約】      （修正有）【課題】ねじ式として歩留まりの良い加工ができ、組立も比較的簡単にでき且回転操作という簡単な作業により伸縮動作のできるねじ式の筆記具を提供する。【解決手段】胴部と、該胴部の後部細胴部にスライド自在に嵌合するサヤの後部に天冠を介して固定し胴部の内側に挿設される回転軸筒と、先端部に筆記具を装填し回転軸筒内に挿設された芯タンクと、芯タンクの後部細タンク部に嵌合した取り付けケースよりなり、胴部とサヤの操作による回転軸筒の回転運動を芯タンクと取り付けケースの直線運動に変換して筆記具の芯先を口金の先端より突出自在とすると共に、取り付けケースの先端部に取り付けた消しゴム等の補助具を天冠の開口より突出自在とし、又芯先の口金よりの突出時において回転軸筒の回転を停止し、天冠、サヤ、芯タンク取り付けケースを前後動のノック操作によりシャープペンにおける芯の突出長の調整を自在としたツイスト式伸縮筆記具。【選択図】図１
2005271348.tif 000002
【特許請求の範囲】
【請求項１】
先端に口金を着脱自在とした胴部と、該胴部の後部細胴部にスライド自在に嵌合するサヤと、該サヤの後部に天冠を介して固定し胴部の内側に挿設される回転軸筒と、先端部に筆記具を装填し回転軸筒内に挿設された芯タンクと、芯タンクの後部細タンク部に嵌合した取り付けケースとよりなり、胴部とサヤの操作による回転軸筒の回転運動を芯タンクと取り付けケースの直線運動に変換して筆記具の芯先を口金の先端より突出自在とすると共に取り付けケースを天冠の開口方向に移動自在とし、取り付けケースの先端部に取り付けた消しゴム等の補助具を天冠の開口より突出自在としたツイスト式伸縮筆記具。
【請求項２】
芯先の口金よりの突出時において回転軸筒の回転を停止し、天冠、サヤ、芯タンク取り付けケースを前後動のノック操作によりシャープペンにおける芯の突出長の調整を自在とした請求項１記載のツイスト式伸縮筆記具。
【発明の詳細な説明】
【技術分野】
【０００１】
本発明は軸の両端の各々から筆記具の芯先やその他の補助用具の突出を自在としたツイスト式の伸縮式筆記具に関する。
【背景技術】
【０００２】
従来の伸縮式のボールペン、シャープペンは口金の先端より芯先を露出させて筆記作業をし、消しゴム等は口金と反対の軸端に設けて、これによって字消し作業等をしている。
【０００３】
これらの場合消しゴムの露出作業は、伸縮操作とは全く別個の作業・例えばキャップの取り外し作業によって行われるが、キャップの取り外し作業が煩わしかったり、紛失する恐れがある。
【０００４】
又従来の伸縮式のボールペンは、不使用時には前軸部と後軸部の間隔の前後の縮小操作によって押し杆を摺動先金に衝当させ、これによって摺動先金をボールペンリフィルの芯先隠蔽位置まで突出させ、又使用時には前軸部と後軸部の間隔の前後の伸張作動によって押し杆と摺動先金の衝当を解いて摺動先金をボールペンリフィルの芯先を露出する位置まで引っ込ませるようにしていた。
【０００５】
然しながらこの伸縮式ボールペンにあっては高度の加工精度が要求され、歩留まりが悪く、又組立作業も複雑でコスト高となる恐れがあった。
【発明の開示】
【発明が解決しようとする課題】
【０００６】
そこで本発明は、ねじ式として歩留まりの良い加工ができ、組立も比較的簡単にでき、且回転操作という簡単な作業により伸縮動作のできるねじ式の筆記具を提供すると共に、伸縮操作に関連させて他端に設けた消しゴム等の補助具をも突出自在として使用勝手の良い筆記具を提供しようとするものである。
【課題を解決するための手段】
【０００７】
先端に口金を着脱自在とした胴部と、該胴部の後部細胴部にスライド自在に嵌合するサヤと、該サヤの後部に天冠を介して固定し胴部の内側に挿設される回転軸筒と、先端部に筆記具を装填し回転軸筒内に挿設された芯タンクと、芯タンクの後部細タンク部に嵌合した取り付けケースとよりなり、胴部とサヤの操作による回転軸筒の回転運動を芯タンクと取り付けケースの直線運動に変換して筆記具の芯先を口金の先端より突出自在とすると共に取り付けケースを天冠の開口方向に移動自在とし、取り付けケースの先端部に取り付けた消しゴム等の補助具を天冠の開口より突出自在としたツイスト式の伸縮筆記具で、又芯先の口金よりの突出時において回転軸筒の回転を停止し、天冠、サヤ、芯タンク取り付けケースを前後動のノック操作によりシャープペンにおける芯の突出長の調整を自在としたツイスト式伸縮筆記具である。
【発明の効果】
【０００８】
本発明の効果として、ねじ式として歩留まりの良い加工ができ、組立も比較的簡単にでき、且回転操作という簡単な作業により伸縮操作ができると共に、筆記作業ができ、この伸縮操作に関連させて芯先とは反対方向の天冠より消しゴム等の補助具を突出自在としてキャップ等の取り外し作業の煩わしさが無くなると共に、紛失の恐れもなく筆記作業も効率的に行うことができる。
【発明を実施する為の最良の形態】
【０００９】
先端に口金を着脱自在とした胴部と、該胴部の後部細胴部にスライド自在に嵌合するサヤと、該サヤの後部に天冠を介して固定し胴部の内側に挿設される回転軸筒と、先端部に筆記具を装填し回転軸筒内に挿設された芯タンクと、芯タンクの後部細タンク部に嵌合した取り付けケースとよりなり、胴部とサヤの操作による回転軸筒の回転運動を芯タンクと取り付けケースの直線運動に変換して筆記具の芯先を口金の先端より突出自在とすると共に取り付けケースを天冠の開口方向に移動自在とし、取り付けケースの先端部に取り付けた消しゴム等の補助具を天冠の開口より突出自在とし、又芯先の口金よりの突出時において回転軸筒の回転を停止し、天冠、サヤ、芯タンク取り付けケースを前後動のノック操作によりシャープペンにおける芯の突出長の調整を自在としたツイスト式伸縮筆記具である。
【実施例】
【００１０】
先端に口金１を着脱自在とした胴部３と、該胴部３の後部細胴部３’にスライド自在に嵌合するサヤ９と、該サヤ９の後部に天冠１１を介して固定し胴部３の内側に挿設される回転軸筒４と、先端部にシャープペン機構の筆記具２を装填し回転軸筒４内に挿設された芯タンク５と、芯タンク５の後部細タンク部５’に嵌合した取り付けケース７とよりなっていて、胴部３とサヤ９の回転操作による回転軸筒４の回転運動を芯タンク５と取り付けケース７の直線運動に変換して筆記具２の芯先２’を口金１の先端より突出自在とすると共に、取り付けケース７を天冠１１の開口１１’方向に移動自在とし、取り付けケース７の先端部に取り付けた消しゴム等の補助具１０を天冠１１の開口１１’より突出自在としたものである。
【００１１】
回転軸筒４の回転運動を行うには、ネジ式で行うが、回転軸筒４の表面には駆動ネジ溝１２を設け、該駆動ネジ溝１２の終端には回転軸筒４の軸線に略直角の遊び溝１３、軸方向のノック溝１４を連設して細胴部３’の内側に突出する第一コマ８をスライド自在に嵌合して、胴部３とサヤ９の回転操作により行うようにする。
【００１２】
芯タンク５と取り付けケースの７の直線運動は以下のように行うようにするとよい、即ち芯タンク５の前半部には、前記駆動ネジ溝１２のピッチよりも大きいピッチの繰り出しネジ溝１５と軸線と直角方向の遊び溝１５’を連設して回転軸筒４に設けた第二コマ６を走行自在に嵌合してあり、芯タンク５の後半部における細タンク部５’には前記繰り出しネジ溝１５と反対方向の後部繰り出しネジ溝１６を同一ピッチで同回転の長さに設け、又芯タンク５の先端部は規制突条１７になっていて胴部３先端内側に設けた溝18に嵌合して前後にのみ移動するようになっていて、芯タンク5を直線運動させるようになっており、更に後部繰り出し溝１６に連続してピッチの狭い補助繰り出し溝１６’が半周に亘って設けてある。
【００１３】
芯タンク５の先端部には筆記具２としてのシャープペン機構が取り付けられており、胴部３とサヤ９の伸長時にはシャープペン２の芯先２’が口金の先端より露出し、筆記状態となり、芯が消耗することによりサヤ９を押すことにより第一コマ８がノック溝１４に沿って移動し、それにしたがって芯タンク５が前進し、シャープペン２の芯を繰り出すようになっている。筆記具２がボールペンのペン場合はノック溝１４を必要としない。
【００１４】
図１〜図１０の実施例のものは、サヤ９の半回転(約１８０度)でサヤ９と胴部３を伸長状態とすると共に、この状態で補助具１０としての消しゴムを天冠１１より突出させないで筆記作業をし、且つ天冠１１、サヤ９を押し作業を繰り返すことにより第一コマ８はノック溝１４に沿って移動しシャープペン２の芯を繰り出すようにしたものであり、更にサヤ９を同方向に半回転することにより取り付けケース７のみを後方に移動させて先端に設けた補助具１０(図では消しゴム)を天冠１１の開口１１’より突出させるようにしたものである。
【００１５】
図１１〜図１７は、サヤ９の一回転(約３８０度)でサヤ９と胴部３を伸長状態とすると共に、この状態で補助具１０としての消しゴムを天冠１１より突出させるようにしたもので、この状態で筆記作業をし、且つ消しゴム１０、天冠１１、サヤ９を押し作業を繰り返すことにより第一コマ８はノック溝１４に沿って移動しシャープペン２の芯を繰り出すようにしたものである。
【００１６】
以上のように駆動ネジ溝１２、繰り出しネジ溝１５、後部繰り出し溝１６等のピッチ、長さは筆記具２と取り付けケース７の移動距離の相対関係において決めればよい。
【００１７】
尚図の筆記具２はシャープペン機構のものを示してあるが、ボールペンでもよく、又補助具１０としては消しゴムを示してあるが、そのほか修正液、色違いのその他の筆記具、口紅、チョークなどが考えられる。
【００１８】
本発明は以上のように構成されるもので、構造上の主要部である胴部３、回転軸筒４、芯タンク５、取り付けケース７は全て筒状態で、かつこれらの外側の一部にねじ加工を施すのみの簡単な作業でできるので歩留まりがよく、また組立作業も簡単であリ、又軸の両端よリ筆記具の芯先や消しゴム等の補助具を突出させて使用できるので筆記作業の効率化を図ることができる。
【図面の簡単な説明】
【００１９】
【図１】本発明に係るツイスト式伸縮筆記具の縮小時の断面説明図
【図２】同補助具を天冠より突出させない状態での伸張時のツイスト式伸縮筆記具の断面説明図
【図３】同補助具を天冠より突出させた状態での伸張時のツイスト式伸縮筆記具の断面説明図
【図４】回転軸筒の正面説明図
【図５】同回転軸筒の断面説明図
【図６】同回転軸筒の斜視説明図
【図７】同芯タンクの平面説明図
【図８】同芯タンクの正面説明図
【図９】同芯タンクの底面説明図
【図１０】同芯タンクの斜視説明図
【図１１】他実施例に係るツイスト式伸縮筆記具の縮小時の断面説明図
【図１２】同ツイスト式伸縮筆記具の伸長時の断面説明図
【図１３】他実施例に係る回転軸筒の拡大正面説明図
【図１４】同芯タンクの平面説明図
【図１５】同芯タンクの正面説明図
【図１６】同芯タンクの底面説明図
【図１７】同芯タンクの斜視説明図
【符号の説明】
【００２０】
１：口金
２：筆記具
３：胴部
３’：後部細胴部
４：回転軸筒
５：芯タンク
６：第２コマ 
７：取り付けケース
８：第一コマ
９：サヤ
１０：補助具
１１：天冠
１２：駆動ネジ溝
１３：遊び溝
１４：ノック溝
１５：繰り出しネジ溝
１５’：遊び溝
１６：後部繰り出しネジ溝
１６’：補助繰り出し溝
１７：規制突条
１８：溝
【図１】
2005271348.tif 000003
【図２】
2005271348.tif 000004
【図３】
2005271348.tif 000005
【図４】
2005271348.tif 000006
【図５】
2005271348.tif 000007
【図６】
2005271348.tif 000008
【図７】
2005271348.tif 000009
【図８】
2005271348.tif 000010
【図９】
2005271348.tif 000011
【図１０】
2005271348.tif 000012
【図１１】
2005271348.tif 000013
【図１２】
2005271348.tif 000014
【図１３】
2005271348.tif 000015
【図１４】
2005271348.tif 000016
【図１５】
2005271348.tif 000017
【図１６】
2005271348.tif 000018
【図１７】
2005271348.tif 000019